(57)【要約】【課題】インクジェットヘッドより吐出されるインク滴の液滴量を個々に高精度で測定可能な液滴量測定装置を提供する。【解決手段】インクジェットヘッド１のノズル付近に細管３を設け、細管３内を落下する液滴２に照明手段５によって下から光を当てる。インクジェットヘッド１より吐出された液滴２の速度を検出器６によって計測し、速度の測定値と、既知である細管３内の気体の粘性係数および液滴２の密度を用いた演算によって各インク滴の液滴量を算出する。液滴２が細管３内を落下する間に液滴２の速度を計測するものであるため、液滴２の落下位置が安定し、高精度な測定値を得ることができる。【選択図】図１
2007040813.tif 000002
【特許請求の範囲】
【請求項１】
所定の内径を有する細管と、前記細管内を落下する液滴の速度を計測する計測手段と、前記計測手段の測定値、前記液滴の密度および前記細管内の気体の粘性係数に基づいて前記液滴の液滴量を算出する演算手段と、を備えたことを特徴とする液滴量測定装置。
【請求項２】
前記液滴の落下方向にスポット光を照射するための照明手段を備えたことを特徴とする請求項１記載の液滴量測定装置。
【請求項３】
前記細管の少なくとも一部が導電性を有することを特徴とする請求項１または２記載の液滴量測定装置。
【請求項４】
前記細管が液滴径の５〜５０００倍の内径を有することを特徴とする請求項１ないし３いずれか１項記載の液滴量測定装置。
【請求項５】
前記細管の一端が封止されていることを特徴とする請求項１ないし４いずれか１項記載の液滴量測定装置。
【請求項６】
前記細管内に局所電界を付与するための電界印加手段を有することを特徴とする請求項２ないし５いずれか１項記載の液滴量測定装置。
【請求項７】
所定の内径を有する細管内を落下する液滴の速度を計測手段によって計測し、その測定値、前記液滴の密度および前記細管内の気体の粘性係数に基づいて前記液滴の液滴量を算出することを特徴とする液滴量測定方法。
【請求項８】
前記液滴は、液体吐出ヘッドより吐出された液滴であることを特徴とする請求項７記載の液滴量測定方法。
【請求項９】
前記計測手段は、前記細管の異なる箇所に複数個配置されており、それぞれの計測手段により測定された液滴量から、前記液体吐出ヘッドより吐出された液滴の、時間経過に応じた液滴量を算出することを特徴とする請求項８記載の液滴量測定方法。
【請求項１０】
前記液滴が吐出するタイミング周期にあわせて、前記液滴の落下方向に対して直交する方向に局所電界を付与し、液滴落下位置を制御することを特徴とする請求項８または９記載の液滴量測定方法。
【請求項１１】
前記局所電界の付与のための電極が前記細管の管軸方向に対して垂直な導線であることを特徴とする請求項７ないし１０いずれか１項記載の液滴量測定方法。
【請求項１２】
前記液体吐出ヘッドから液滴が吐出するタイミング周期にあわせて、前記細管の電位と吐出される液滴の電位が一定の比率で異なるように電位を調整し、液滴落下位置を制御することを特徴とする請求項７ないし９いずれか１項記載の液滴量測定方法。
【請求項１３】
前記液滴の落下方向より光をあてながら前記液滴の速度を計測することを特徴とする請求項７ないし１２いずれか１項記載の液滴量測定方法。
【請求項１４】
請求項８ないし１３いずれか１項記載の液滴量測定方法によって吐出量を調整する工程を有することを特徴とする液体吐出ヘッドの製造方法。
【請求項１５】
請求項８ないし１３いずれか１項記載の液滴量測定方法によって吐出量を制御する吐出信号を調整し、前記吐出量を一定に調整する工程を有することを特徴とする液体吐出ヘッドの製造方法。
【発明の詳細な説明】
【技術分野】
【０００１】
本発明は、インクジェットプリンタ等に搭載される液体吐出ヘッドより吐出されたインク滴等液滴の液滴量を測定するための液滴量測定装置および液体吐出ヘッドの製造方法に関するものである。
【背景技術】
【０００２】
インクジェットヘッド等の液体吐出ヘッドを用いた液体吐出装置は、紙やＯＨＰ等への画像、文字形成のみならず、エレクトロニクス分野の配線などのパターン形成技術として応用展開されてきている。画像、文字形成においては高精細かつ高画質化が求められており、吐出された液滴量にばらつきがあると、濃度むらやカラー画像における色調ずれ等の影響を及ぼし、高精細かつ高画質化の妨げとなる。また、基板配線などのパターン形成においては、配線などの抵抗、導電性と言った電気特性において高精度、高安定性が要求されており、吐出された液滴量にばらつきがあると、素子として機能が安定しないなどの問題が生じてしまう。こうした問題を解決するためには、液体吐出ヘッドの液滴吐出特性の解析を行う必要があり、特に、液滴量に関しては吐出される液滴１滴１滴の量のばらつきを高精度に測定することが求められてきた。
【０００３】
しかし、液滴は、液滴量が１０ｐｌで液滴径が２６．７μｍ、液滴量５ｐｌで液滴径が２１．２μｍ、液滴量３ｐｌで液滴径が１７．９μｍ、液滴量１ｐｌで液滴径が１２．４μｍ程度と微小である。従って、液滴１滴の量を精度良く測定するのは困難であり、このため、以下のような様々な方法が採用されていた。
【０００４】
（１）予めインクタンクの質量を測定しておく。インクジェットヘッドで規定の駆動を行わせた後、インクタンクの質量を測定する。インクタンクの質量減少分がインクジェットヘッドより吐出された液滴量の総和、つまり液滴質量と吐出液滴発数の積であることから、ヘッド駆動動作前後のインクタンク質量差から平均的な液滴吐出量を算出していた。
【０００５】
（２）染料の含まれる液滴をガラス基板上に形成した透明受容層上に着弾させ、その着弾液滴部に光を照射し、ガラス基板単体との透過光量差を計測する。透過光量差から着弾液滴内に含まれる染料の量を見積もる。そして液滴量とそれに含まれる染料の量との比が既知であるとして、液滴量を算出していた。
【０００６】
（３）液滴の飛翔像をカメラ等で撮影し、撮影画像を画像処理しその画像より解析した液滴の大きさから液滴量を算出していた。
【０００７】
（４）インクジェットヘッドより吐出された液滴を所定の深さと幅とを持つシャーレ形態の媒体に受け、天板で覆う。天板に押しつぶされ変形した液滴のサイズを測定し、その測定値に基づいて、液滴量を算出していた（特許文献１参照）。
【０００８】
（５）インクジェットヘッドより吐出された液滴の液滴速度を測定し、その液滴速度と、気体の粘性係数および液滴の密度より液滴量を算出していた（特許文献２参照）。
【０００９】
（６）インクジェットヘッドより吐出される液滴を受ける基板を電子天秤上に静置し、予め重量を測定しておく。基板上に液滴を複数回吐出し、基板重量の変化量を測定し、基板重量変化を吐出発数で除することにより液滴量を算出していた（特許文献３参照）。
【特許文献１】特開２０００−１５３６０３号公報
【特許文献２】特開２００３−２８６９６号公報
【特許文献３】特開２００３−１７２８１４号公報
【発明の開示】
【発明が解決しようとする課題】
【００１０】
しかし、上記第１の方法は、あくまで算出するのは多数滴の平均値であり、１滴１滴の液滴量ではない。そのため、液滴間のばらつきや過渡的な液滴量の変化を測定することはできない。また、上記第２の方法は、液滴を受ける受容層の表面エネルギーむら等のばらつきが、液滴の受容層内での広がり方に影響を与えるので、透過光量を計測するセンサーを高精度にする必要がある。またこの方法では、光を吸収しない透明液滴や光の透過量が極端に落ちる顔料インク等には適用できないため、インク材料を選ぶことになってしまう。さらに、液滴量が微小になるに従い透過光量の変化が微小になるため測定が困難になり、また、高速で連続的に吐出される液滴量を測定しようとすると、基板に着弾した液滴と液滴とがつながり、１滴ごとの液滴量を測定することができない場合がある。
【００１１】
上記第３の方法は、照明の方法、つまり照明光の強さや向き等、撮影する際の焦点位置に対する液滴位置により撮像される液滴の大きさが変ってしまう。また、この方法では液滴径から量を算出するので、量の誤差は測定する径の誤差の３／２乗に比例し、径の測定誤差を小さく抑えないと量の誤差が大きくなる場合がある。さらに、液滴量が少なくなるに従い、液滴径が小さくなり径の測定誤差が液滴量の誤差に与える程度が大きくなる。
【００１２】
上記第４の方法は、基板のたわみや表面むらのため、液滴を挟む受容基板と天板面との間隔をばらつきなく一定にするのは難しい。また、両面のぬれの状態もばらつきなく一定にすることは難しいため、測定に誤差が生じてしまう。さらに、高速で連続的に吐出される液滴量を測定しようとすると、基板に着弾した液滴と液滴とがつながり、１滴ごとの液滴量を測定することができない場合がある。
【００１３】
上記第５の方法は、インクジェットヘッドより吐出される液滴を安定的に所定位置に落下させ、その時の液滴の速度を測定することが難しい。このため、液滴の速度を正確に測定できない場合がある。
【００１４】
上記第６の方法は、インクジェットヘッドより吐出される液滴量の平均値であり、１滴１滴の量ではない。また、基板上に吐出された液滴が乾燥することにより基板重量が時間と共に変化してしまい、正確な液滴量を算出することが難しい。
【００１５】
本発明は、上記従来の技術の有する未解決の課題に鑑みてなされたものであり、吐出される液滴の１滴１滴の液滴量を精度よく計測することのできる液滴量測定装置および液体吐出ヘッドの製造方法を提供することを目的とするものである。
【課題を解決するための手段】
【００１６】
本発明の液滴量測定装置は、所定の内径を有する細管と、前記細管内を落下する液滴の速度を計測する計測手段と、前記計測手段の測定値、前記液滴の密度および前記細管内の気体の粘性係数に基づいて前記液滴の液滴量を算出する演算手段と、を備えたことを特徴とする。
【発明の効果】
【００１７】
吐出された液滴が細管内を落下する間に液滴の速度を計測するものであるため、液滴の落下位置を安定させ、液滴量を１滴１滴、精度良く測定することが可能となる。その測定結果を用いることにより、液体吐出ヘッドのノズル間およびヘッドごとの液滴量のばらつきを無くし、吐出性能の安定性を得ることができる。これにより、高精度なパターン形成や、高精細な画像形成が可能な液体吐出ヘッドを実現できる。
【発明を実施するための最良の形態】
【００１８】
本発明を実施するための最良の形態を図面に基づいて説明する。
【００１９】
図１に示すように、液体吐出ヘッドであるインクジェットヘッド１より吐出する液滴２の吐出方向（落下方向）に、細管３を立設する。すなわち、細管３の中心軸（管軸）を、測定するインクジェットヘッド１のノズル（吐出口）の位置（ノズル位置）に対応させ、細管３の一端をインクジェットヘッド１の近傍もしくはヘッドに接するようにセットする。コントローラー４によってインクジェットヘッド１の吐出タイミング等を制御し、細管３内の下端に配設された照明手段５によって細管３内の液滴２に光を当てながら、計測手段である検出器６によって液滴の速度を検出する。演算手段である情報処理装置７においては、測定された速度と、既知である細管３内の気体の粘性係数および液滴２の密度から、液滴２の半径等を求めて、液滴量を算出する。
【００２０】
インクジェットヘッドより吐出されるインクによっては、複数箇所における液滴の速度を計測し、それぞれの箇所における液滴量を算出してもよい。それぞれの箇所の液滴量をもとに蒸発等による液滴の変化量を算出し、インクジェットヘッドより吐出された液滴の、時間経過に応じた液滴量を算出する。
【００２１】
インクジェットヘッドとしては、加熱によってインクを発泡させ、インクを吐出する方式や、圧電素子を変位させることでインクを吐出するピエゾジェットヘッドがあるが、特に制約されるものではない。
【００２２】
細管の種類としては、ガラス管、アクリル管、塩ビ管など様々なものが挙げられるが、液滴の落下状態を容易に認識できるものであれば、特に制約されるものではない。好ましくは、管材が無色透明である方がよい。細管の形状（断面形状）としては、円柱状、角柱状などが挙げられるが、特に制約されるものではなく、管の大きさ、および測定の観点から適宜形状を選択すればよい。細管は導電性を有し、細管自体が同電位に保たれることが好ましい。
【００２３】
細管の導電性は、細管の材質自体によるものでも、細管内壁もしくは外壁に導電性薄膜を形成することにより得られるものでも構わない。液滴の落下状態を容易に認識する観点から考えるのであれば、ガラス管に透明導電膜（ＩＴＯ：酸化インジウム−酸化錫系、ＡＺＯ：酸化亜鉛−酸化アルミ系、ＡＴＯ：酸化錫−酸化アンチモン系）を成膜したものが好ましい。成膜方法としては、スパッタ法、ディップコート法、真空蒸着法、イオンプレーティング法、スプレー熱分解法など様々な方法が挙げられる。しかし、細管として導電性が得られるものであれば特に制約を受けるものではない。
【００２４】
細管サイズとしては、細管内側に接する円の最大径（内径）がインクジェットヘッドより吐出される液滴径の５〜５０００倍であることが好ましい。細管サイズが小さい程、液滴が落下する際の気流・乱流による影響を抑制することができるが、細管の中心軸とノズル位置を精度良くあわせることが求められる。位置ずれが大きい場合、ノズルより吐出した液滴が細管内壁に付着してしまい、液滴落下を観察することが難しくなる。また、細管サイズが大きいほど位置ずれに対するマージンを得られることになるが、細管内に生じる気流、液滴落下による細管内の乱流により液滴落下が不安定になることが懸念される。好ましい細管サイズとしては、液滴径に対して５〜５０００倍であり、さらに好ましくは、１０〜２０００倍であるとよい。細管の管壁厚さ（内径と外径の差）は特に制約されるものではない。細管として液滴の落下状態を容易に認識できるものであれば構わない。
【００２５】
細管の長さとしては、液滴の速度を測定することが可能であれば、特に制約されるものではないが、インクジェットヘッドより吐出される液滴量を測定する場合、吐出された液滴が安定した後に測定するため、５ｍｍ以上であることが好ましい。
【００２６】
細管の一端は封止されていることが好ましい。封止された一端はヘッドに接している一端であっても、ヘッドと反対側の一端であっても構わない。細管としての開口部面積は、細管の断面積（液滴の落下方向に対して垂直面断面積）の半分以下であることが好ましい。細管の開口部は、細管内の圧力が、細管内への液滴吐出時に液滴落下に対して影響することの無いような、開口部面積を有すればよい。
【００２７】
導電性を有する細管をインクジェットヘッドのノズルにセットする際に、ノズルやオリフィスプレートが傷付かないように注意しながら、細管の一端をインクジェットヘッド近傍に近づけて固定する。細管は、インクジェットヘッドより吐出される液滴が飛翔、落下する途中に内壁に接することの無いように位置および方向を調整する。
【００２８】
インクジェットヘッドより液滴を吐出させ、細管内の液滴の速度が一定となった時の速度を計測する。液滴の速度を測定する際のインクジェットヘッドの液滴の吐出周期が短い場合（吐出周波数が高い場合）、液滴の吐出周期にあわせて細管に直交する方向（断面方向）のパルス電界を印加するとよい。これによって、吐出された液滴の一部に対して液滴落下軌跡を変更する。液滴の落下軌跡を変更することで、液滴の吐出周期に対する測定範囲を変更することが容易となる。例えば、液滴吐出周期が１０００Ｈｚで１ｐｌの液滴を吐出し落下させた場合、連続吐出した液滴が合わさってしまい個々の液滴の速度を計測できない。そこで、１Ｈｚの電界を付与することにより１秒間に１滴の液滴の速度の計測を行うことが可能となる。電界を印加する位置としては、電界印加方法にもよるがノズル近傍であることが好ましい。ノズル近傍では液滴が吐出されてからの経時が短いため、液滴の吐出速度が速く液滴間距離が離れている。従って、電界を特定の液滴にのみ印加することが容易となるためである。
【００２９】
具体的にはインクジェットヘッドのノズルより１〜１０ｍｍ離れた位置において電界を印加することが好適である。
【００３０】
電界印加手段としては様々な方法が知られているが、連続的に落下する液滴において特定の液滴に選択的に電界を印加することが有効であることから、導電性を有する細線を液滴落下方向に対して垂直になるように設置し、パルス制御器によって電界を印加する。細線の設置は、細管の内部でも外部でも構わないが、液滴の吐出間隔が短い場合においても特定の液滴に選択的に電界を印加することから、細管に設置することが好ましい。細線を設置する際に細管と導通することがないように、絶縁しなくてはならない。細管内に細線を通じる方法としては、細管に細穴を形成し細線の周りに樹脂をコートして細管と絶縁しながら内部に通じる方法、角柱状の細管を４枚の短冊状細板を組合せる際に細線を内部に通じて細管とは絶縁する方法などがある。液滴に効果的に電界を印加する観点からは、短冊状細板を４枚組合せて細管を形成する際に細線位置を調整しながら細管と絶縁する方法が好ましい。
【００３１】
印加する電界の条件としては、電界強度、電界印加時間、電界印加周期などがあるが、強度は、液滴径および吐出速度、電界印加時間と電界印加周期は吐出間隔に応じて変更すればよい。
【００３２】
インクジェットヘッドのノズルからの液滴吐出周期にあわせて、細管に対して垂直方向の電界を印加する代わりに、細管の電位と吐出されるインクの電位が異なる電位となるようにインク電位を調整してもよい。この場合、細管はインクジェットヘッドと導通することがないように固定する。細管の電位とインクの電位に差異を生じさせることにより液滴は細管に引き寄せられる。これに対して、細管と導電位となったインクは、細管内を落下する。細管内での液滴の速度が一定となった時の速度を計測すればよい。細管とインクの電位差は液滴径、吐出周期、吐出速度等に応じて調整する。インク電位の調整周期は、吐出周期に応じて一部の液滴のみが細管内を自由落下するように調整すればよい。
【００３３】
液滴落下を容易に確認し測定するために、液滴の落下方向より光を照射しながら液滴位置を判定し、所定距離の落下に要する時間を算出して、液滴速度を計測してもよい。照射する光としては、液滴を容易に認識できるものであれば特に限定されないが、微小液滴の速度を精度良く計測する観点から単波長光であることが好ましい。
【００３４】
液滴の速度の測定は、ノズルより所定の距離だけ離れて、液滴の速度が一定速度となったところで行う。この測定位置は、ノズルからの液滴の吐出速度、吐出量などに応じて調整すればよい。
【００３５】
このようにして、インクジェットヘッドより吐出された液滴量を測定することで、例えば、数ｐｌオーダーの液滴量を高精度で且つ安定して測定することができた。このように、吐出される液滴量を高精度に測定して、吐出信号を調整することにより、異なるノズル間の吐出液滴量を調整し、吐出量を一定に調整したヘッドを得ることができた。吐出信号の調整としては、吐出電圧のみならず、波形としての調整も有効であった。
【００３６】
このようにして調整することで、ノズル間の吐出量が一定な高品位のインクジェットヘッドを実現できる。
【実施例１】
【００３７】
図１は実施例１による液滴量測定装置の概略構成を示す。この液滴量測定装置は、液滴２を細管３内で落下させることにより、液滴２の落下速度を正確に測定し、液滴量を算出するものであり、インクジェットヘッド１より吐出させる液滴２を制御するコントローラー４を有する。さらに、液滴認識を容易にするための照明手段５、液滴２の落下速度を計測するための検出器６、液滴２の落下速度の計測値から液滴量を算出するための情報処理装置７等を有する。
【００３８】
インクジェットヘッドとしては、プリンター用インクジェットヘッドを用いた。プリンター用インクジェットヘッドには、電気信号を熱変換することによりインクを発泡させインクを吐出させるものと、電気信号を圧電素子によりインク室の容量を収縮させインクを吐出させるものがある。ここでは、圧電素子を用いてインク室の容量を縮小させることによりノズルからインク液滴を吐出するピエゾジェットヘッドを用いた。インクジェットヘッドより吐出される液滴の吐出量としては、インクジェットヘッドへの印加電圧が１１．０Ｖで約１２ｐｌのものを用いた。インクジェットヘッドより吐出される液滴は、コントローラーより出力される信号により圧電素子が変化することにより吐出される。
【００３９】
また、インクジェットヘッドはノズル面（吐出口面）を形成するオリフィスプレートが水平になるように設置し、液滴が重力に従い落下するようにした。
【００４０】
インクジェットヘッド近傍にセットする細管としては、透明導電膜を形成したガラス基板を細い短冊状に加工し、四角柱状に組合せて細管とした。細管としての大きさは、細管内の一辺を５ｍｍとなるように加工した。ガラス板を細管に組合せるための接合部には接着剤を用いて接合した。ガラス接合時に液滴認識が困難にならないように注意した。また、四角柱を構成する４辺の接合したガラス基板間の導通を得るために、透明導電膜を形成した面のガラス端部に銀ペーストを塗布し、ガラス細管の電位が同電位となるようにした。
【００４１】
ガラス基板を組合せることにより作成したガラス細管を水平に設置したガラス基板上に接着剤を用いて固定し、一端が封止され導電性を有するガラス細管を作成した。一端の封止されたガラス細管の開放された開口部端部をインクジェットヘッドのオリフィスプレートに近づけ、固定した。固定する際に、液滴を吐出するノズルがガラス細管の中心に位置するように位置調整した。また、ガラス細管端部がオリフィスプレートを傷付け無いように注意しながら、隙間を形成して固定した。オリフィスプレートとガラス細管端部の隙間間隔は、０．５ｍｍとなるようにした。
【００４２】
ガラス細管を固定したガラス基板下方より液滴認識を容易にするための照明光をあてた。照明手段の光源としては、波長６３３ｎｍのＨｅ−Ｎｅレーザーを用いた。レーザー光が液滴落下軌跡を容易に確認できるように、液滴落下とレーザー光の光軸が合うように、照明位置を調整した。
【００４３】
液滴の落下速度を計測する検出器としては、カメラを用いた。カメラには東芝テリー製ＣＣＤカメラＣＳ６９１０ＣＬを用いた。カメラの前に液滴の落下状態の取り込みが容易にできるように、レンズを取付けた。カメラで撮影された画像を情報処理装置に保存するように設置した。
【００４４】
インクジェットヘッドにインクを充填し、メニスカスより僅かにインクを溢れさせた後に、吐出口面をワイプし、余分なインクを除去した。インクジェットヘッドよりインクを吐出できるように調整した後に、コントローラーよりインクジェットヘッドに吐出信号を与えた。インクジェットヘッドの吐出周波数は１０ｋＨｚまで上げることが可能であるが、液滴落下認識を容易にするために１０Ｈｚの吐出信号をコントローラーよりヘッドに与えた。
【００４５】
インクジェットヘッドのノズルより液滴が吐出され、液滴の落下状態が安定するのを確認した後、液滴落下状態をカメラで取込んだ。カメラで取込んだ画像を解析することにより液滴の落下速度を測定した。
【００４６】
液滴の落下速度を解析する方法としては、細管と同位置に落下距離を算出するための目盛を付けた金属製の物差しを置き、液滴と物差し目盛が同時に画像上に取込めるように調整した。次いで、カメラ画面上で１／３０ｓｅｃごとに撮影・記録した液滴落下画像より液滴位置と目盛位置が合致する時間を求めた。液滴位置と目盛位置が合致する距離および時間は、２１．０ｍｍおよび０．８６７ｓｅｃであった。
【００４７】
液滴落下画像より算出した液滴落下速度２４．２ｍｍ／ｓｅｃを用いて、液滴量を算出した。インクとしては水を用い、インクジェットヘッドより空気中に吐出された液滴落下を測定したことから、気体粘性係数は１８．２μＰａｓ、液体密度は１．００ｇ／ｃｍ3 とした。このようにして、液滴量は１２．０ｐｌであることが算出できた。
【実施例２】
【００４８】
図２に示すように、実施例１と同様の液滴測定装置において、細管３に、パルス制御器８からのパルス電圧を印加するための電極９を付設した。
【００４９】
細管３は、図３に示すように、透明導電膜を形成した第１のガラス基板３ａと、透明導電膜を形成し、一部をパターニングして電極９を形成した第２のガラス基板３ｂをそれぞれ細い短冊状に加工し、四角柱状に組合せて管体としたものである。
【００５０】
細管としての大きさは、第１のガラス基板による細管内壁の一辺を２ｍｍとなるようにし、透明導電膜をパターニングした第２のガラス基板による細管内壁の一辺を６ｍｍとなるように加工した。透明導電膜のパターニングは、インクジェットヘッド側に近づける細管端部より１０ｍｍの位置に０．２ｍｍの独立ラインが形成されるように加工した。０．２ｍｍのラインパターン部は、細管形成後に電位調整ができるように細管形成を行い、接合部には接着剤を用いて接合した。このようにして、内壁にパターン電極を有するガラス細管を得た。また、四角柱を構成する４辺の接合したガラス基板間の導通を得るために、透明導電膜を形成した面のパターンより離れたガラス端部に銀ペーストを塗布し、ガラス細管の電位が同電位となるようにした。
【００５１】
実施例１と同様に、パターン電極付きのガラス細管を水平に設置したガラス基板上に接着剤を用いて固定し、インクジェットヘッドのノズルがガラス細管の中心になるように位置を調整した。オリフィスプレートとガラス細管端部の隙間間隔は、０．５ｍｍとなるようにした。
【００５２】
実施例１と同様にしてガラス細管下方より液滴認識のための照明を行った。インクジェットヘッドより吐出される液滴落下状態を取り込めるように調整した後、インクジェットヘッドの吐出を行った。インクジェットヘッドからの液滴吐出周波数は１００Ｈｚとし、また、パターン電極付きのガラス細管の電極に１０Ｈｚのパルス電圧を印加した。印加電圧は１０Ｖとした。ガラス細管の電極部を通過した液滴の落下軌跡が細管中心を落下し、容易に認識できるようにパルス電圧の印加タイミング、印加時間を調整した。調整後、液滴落下画像を取込んだ。
【００５３】
カメラで取込んだ液滴落下画像を実施例１と同様に解析したところ、液滴位置と目盛位置が合致する距離および時間は、２１．５ｍｍおよび０．９００ｓｅｃであった。
【００５４】
液滴落下画像より算出した液滴の落下速度２３．９ｍｍ／ｓｅｃを用いて、液滴量を算出した。インクとしては水を用い、インクジェットヘッドより空気中に吐出された液滴落下を測定したことから、気体粘性係数は１８．２μＰａｓ、液体密度は１．００ｇ／ｃｍ3 とした。このようにして、液滴量は１１．８ｐｌであることが算出できた。
【００５５】
また、他のノズルで同様に測定したところ、液滴量は１１．５ｐｌであった。そこで、吐出印加電圧を１１．０Ｖより１１．３Ｖに変更したところ、液滴量を１１．８ｐｌとすることができた。
【００５６】
このようにして、ノズル間の吐出量を正確に合わせることができた。
【実施例３】
【００５７】
図４に示すように、実施例１と同様の液滴測定装置において、細管３と、インクジェットヘッド１にインクを供給するインクタンク１０との間にパルス電圧を印加するパルス制御器１１を付設し、インクジェットヘッド１の吐出電圧を１４．０Ｖに調整した。
【００５８】
実施例１と同様に、ガラス細管を水平に設置したガラス基板上に接着剤を用いて固定し、一端が封止され導電性を有するガラス細管を作成した。ガラス細管を固定し、インクジェットヘッドのノズルがガラス細管の中心になるように位置を調整した。オリフィスプレートとガラス細管端部の隙間間隔は、０．５ｍｍとなるようにした。
【００５９】
ガラス細管とインクジェットヘッドのインク間にパルス信号を印加するパルス制御器を接続し、パルス制御器を情報処理装置で制御するようにした。
【００６０】
実施例１と同様にしてガラス細管下方より液滴認識のための照明を行った。インクジェットヘッドより吐出される液滴落下状態を取り込めるように調整した後、インクジェットヘッドの吐出を行った。インクジェットからの液滴吐出周波数は１００Ｈｚとし、また、ガラス細管の電極とインクジェットヘッドのインク間に１０Ｈｚのパルス電圧を印加した。印加電圧は２Ｖとした。ガラス細管の電極部を通過した液滴が細管中心を落下し、容易に認識できるようにパルス電圧の印加タイミング、印加時間を調整した。調整後、液滴落下画像を取込んだ。
【００６１】
カメラで取込んだ液滴落下画像を実施例１と同様に解析したところ、液滴位置と目盛位置が合致する距離および時間は、２２．５ｍｍおよび０．９００ｓｅｃであった。
【００６２】
液滴落下画像より算出した液滴の落下速度３０．７ｍｍ／ｓｅｃを用いて、液滴量を算出した。インクとしては水を用い、インクジェットヘッドより空気中に吐出された液滴落下を測定したことから、気体粘性係数は１８．２μＰａｓ、液体密度は１．００ｇ／ｃｍ3 とした。このようにして、液滴量は１７．２ｐｌであることが算出できた。
【実施例４】
【００６３】
図５に示すように、実施例１の液滴測定装置の検出器６の代わりに、液滴２の落下路を横切るように光束を発生する光源１２と、前記光束を受光する分割センサー１３を配設した。
【００６４】
実施例１と同様にガラス細管を水平に設置したガラス基板上に接着剤を用いて固定し、一端が封止され導電性を有するガラス細管を作成した。ガラス細管を固定し、インクジェットヘッドのノズルがガラス細管の中心になるように位置を調整した。オリフィスプレートとガラス細管端部の隙間間隔は、０．５ｍｍとなるようにした。また、実施例１と同様にしてガラス細管下方より液滴認識のための照明を行った。
【００６５】
インクジェットヘッドより吐出される液滴の落下速度を測定する分割センサー１３として、４分割フォトディテクターを用いた。４分割フォトディテクターとしては、それぞれのディテクター間距離が３００μｍのものを用いた。光源１２としては、波長９８０ｎｍの遠赤外レーザーを用いた。レーザー光が４分割フォトディテクターに垂直に入射するようにアライメント調整を行い、落下する液滴がレーザー光路に合うように、レーザーおよびフォトディテクターの位置を調整した。
【００６６】
調整後、インクジェットヘッドの吐出を行い、液滴通過信号がディテクターより検出できることを確認した。インクジェットからの液滴吐出周波数は１０Ｈｚとした。インクジェットヘッドより吐出された液滴の落下信号を４分割フォトディテクターより取り出し、落下軌跡上にある２つのフォトディテクター間の信号時間差を測定した。
【００６７】
フォトディテクターで取込んだ信号を解析したところ、２つのディテクター間を通過する時間差は１２．５ｍ／ｓｅｃであった。
【００６８】
液滴通過時間差より算出した液滴の落下速度２４．０ｍｍ／ｓｅｃを用いて、液滴量を算出した。インクとしては水を用い、インクジェットヘッドより空気中に吐出された液滴落下を測定したことから、気体粘性係数は１８．２μＰａｓ、液体密度は１．００ｇ／ｃｍ3 とした。このようにして、液滴量は１１．９ｐｌであることが算出できた。
【図面の簡単な説明】
【００６９】
【図１】実施例１による液滴量計測装置を示す模式図である。
【図２】実施例２による液滴量計測装置を示す模式図である。
【図３】実施例２による電極付きの細管の構成を示す図である。
【図４】実施例３による液滴量計測装置を示す模式図である。
【図５】実施例４による液滴量計測装置を示す模式図である。
【符号の説明】
【００７０】
１    インクジェットヘッド
２    液滴
３    細管
４    コントローラー
５    照明手段
６    検出器
７    情報処理装置
８、１１    パルス制御器
９    電極
１０    インクタンク
１２    光源
１３    分割センサー
【図１】
2007040813.tif 000003
【図２】
2007040813.tif 000004
【図３】
2007040813.tif 000005
【図４】
2007040813.tif 000006
【図５】
2007040813.tif 000007